(57)【要約】【課題】デジタル放送とアナログ放送との切替時におけるユーザに対する違和感等を軽減しつつもアナログ放送時の音質の劣化を避けるのに好適な放送受信機を提供すること。【解決手段】放送信号の受信品質を検知する検知手段と、受信品質が第一又は第二の条件を満たすかどうかを判定する条件判定手段と、少なくとも第一の条件を満たす場合に、アナログ放送の音質に関する初期的なアナログ音質特性を、デジタル放送の音質に関するデジタル音質特性と該初期的なアナログ音質特性との間の中間的な音質特性に設定変更する音質設定変更手段と、第二の条件を満たすと共にアナログ音質特性が中間的な音質特性に設定されている場合に、デジタル放送を再生し、それ以外の場合には、アナログ放送を再生する再生切替手段と、から放送受信機を構成する。【選択図】図２
2011109378.tif 000002
【特許請求の範囲】
【請求項１】
デジタル放送とアナログ放送とを同時放送する方式の信号フォーマットにより伝送される放送信号を受信するのに適した放送受信機において、
前記放送信号の受信品質を検知する検知手段と、
検知された前記受信品質が第一の条件、又は該第一の条件より良好な第二の条件を満たすかどうかを判定する条件判定手段と、
少なくとも前記第一の条件を満たす場合に、前記アナログ放送の音質に関する初期的なアナログ音質特性を、前記デジタル放送の音質に関するデジタル音質特性と該初期的なアナログ音質特性との間の中間的な音質特性に設定変更する音質設定変更手段と、
前記第二の条件を満たすと共に前記アナログ音質特性が前記中間的な音質特性に設定されている場合に、前記デジタル放送を再生し、それ以外の場合には、前記アナログ放送を再生する再生切替手段と、
を有することを特徴とする放送受信機。
【請求項２】
前記デジタル放送の再生から前記初期的なアナログ音質特性による前記アナログ放送の再生に切り替わる過程で、又は、該初期的なアナログ音質特性による該アナログ放送の再生から該デジタル放送の再生に切り替わる過程で、前記中間的な音質特性による前記アナログ放送の再生を少なくとも一定時間維持することを特徴とする、請求項１に記載の放送受信機。
【請求項３】
前記デジタル放送又は前記アナログ放送に係る前記音質特性は、少なくとも周波数特性又はセパレーション特性を含むことを特徴とする、請求項１又は請求項２に記載の放送受信機。
【請求項４】
前記第一又は前記第二の条件は、前記放送信号に基づいて測定されるＢＥＲ（Bit Error Rate）、Ｓメータ値、ＣＮ比、ＳＮ比の少なくとも１つを用いて判断されることを特徴とする、請求項１から請求項３の何れか一項に記載の放送受信機。
【請求項５】
ＩＢＯＣ（In Band On Channel）方式の信号フォーマットにより伝送される放送信号を受信するのに適したことを特徴とする、請求項１から請求項４の何れか一項に記載の放送受信機。
【請求項６】
移動体に搭載されたことを特徴とする、請求項１から請求項５の何れか一項に記載の放送受信機。
【発明の詳細な説明】
【技術分野】
【０００１】
本発明は、放送受信機に関連し、詳しくは、デジタル放送とアナログ放送とを同時放送する方式の信号フォーマットにより伝送される放送信号を受信するのに適した放送受信機に関する。
【背景技術】
【０００２】
近年、音響機器や映像機器等において音声や映像をデジタル形式で処理、管理することが一般化している。このような音響機器等における音声や映像のデジタル符号化の趨勢はラジオ放送の分野にも波及し、幾つかの方式のデジタルラジオ放送が規格化され、実用化されている。例えば米国では、ＩＢＯＣ（In-Band On-Channel）と呼ばれるＯＦＤＭ（Orthogonal Frequency Division Multiplex）を利用したデジタルラジオ放送方式がｉＢｉｑｕｉｔｙ（アイビクイティ）社によって提案され、実用化されている。
【０００３】
ここで、従来のアナログラジオ放送は、各放送局に割り当てられた周波数帯域に周波数分布をもつ搬送波（以下、「アナログ搬送波」と記す。）を用いて放送される。しかし、アナログ搬送波は、割り当てられた周波数帯域全てを使用して伝送されているわけではない。具体的には、隣接するチャネル（つまり、それぞれ異なる放送局に割り当てられた周波数帯域）のアナログ搬送波同士の干渉を避けるため、割り当てられた周波数帯域のうち中心部分のみがアナログ搬送波の伝送に使用され、それ以外の部分は使用されていない。つまり、アナログラジオ放送においては、アナログ搬送波に隣接する周波数帯（以下、「サイドバンド」という）が有効には活用されていない。
【０００４】
ＩＢＯＣ方式の信号伝送フォーマットには、従来有効活用されていなかったサイドバンドを使用してアナログ搬送波と共にデジタルラジオ放送信号を伝送するハイブリッドフォーマットや、サイドバンドを使用してデジタルラジオ放送信号のみを伝送するオールデジタルフォーマットなどが規定され、既存のアナログラジオ放送から多機能・高品位なオールデジタルフォーマット放送へと段階的に移行できるようにデザインされている。アナログラジオ放送からオールデジタル放送への過渡期においては、主に、ハイブリッドフォーマットによる信号伝送が使用され、同一周波数帯域を使用してアナログラジオ放送信号とデジタルラジオ放送信号とがサイマルキャスト方式で伝送される。
【０００５】
ＩＢＯＣ方式のデジタルラジオ放送は、ＯＦＤＭ変調により信号伝送を行うため、アナログラジオ放送よりも周波数利用効率が高くマルチパスフェージングに耐性がある。すなわち、デジタルラジオ放送は、伝送容量が多くノイズ耐性が高いため、アナログラジオ放送よりも高音質である。従って、ＩＢＯＣ方式のラジオ放送を受信するＨＤ（High Definition）ラジオは、ハイブリッドフォーマット放送受信時に、受信信号の品質が所定レベル以上であればデジタルラジオ放送を再生し、所定レベルに満たずデジタルラジオ放送信号をデコードできなければ出力を切り替えてアナログラジオ放送を再生する。これにより、高音質なデジタルラジオ放送がユーザに提供されると共に、デコードエラー時に無音状態が継続するという不具合が有効に避けられる。受信電波の品質は、放送基地局から遠く離れた弱電界地域や、都市部等のマルチパスフェージングの影響が強い場所等において劣化しやすい。
【０００６】
ところで、ＨＤラジオによる再生がデジタルラジオ放送とアナログラジオ放送との間で切り替わる際、音量が急激に変化して、ユーザに違和感や不快感を与えることが問題視されている。そこで、音量の急変に対する違和感や不快感を軽減するため、切替時における音量のマッチングを行う放送受信機が、例えば特許文献１で提案されている。
【先行技術文献】
【特許文献】
【０００７】
【特許文献１】特開２０００−１１５００２号公報
【発明の概要】
【発明が解決しようとする課題】
【０００８】
しかし、音量のマッチングだけでは違和感や不快感を十分に軽減できないという問題が指摘される。例えばアナログラジオ放送の一般的な再生処理では、受信電波の品質が劣化した場合にノイズの増大を抑制する対策として、ステレオ感をなくしたり、利得（特に高周波を落とす等）を調整したりする。この場合、アナログラジオ放送からデジタルラジオ放送に切り替わった際の音質差が大きいため、ユーザに与える違和感や不快感がより一層強くなる。そこで、切替時の音質差による違和感や不快感を軽減するため、アナログラジオ放送時における音質特性をデジタルラジオ放送時における音質特性に近い特性に設定するという対応が考えられる。しかし、この場合、アナログラジオ放送時に、音質特性の不整合が原因でノイズが目立ち、却って音質を低下させかねないという懸念がある。
【０００９】
そこで、本発明は上記の事情に鑑みてなされたものであり、その目的とするところは、デジタル放送とアナログ放送との切替時におけるユーザに対する違和感等を軽減しつつもアナログ放送時の音質の劣化を避けるのに好適な放送受信機を提供することである。
【課題を解決するための手段】
【００１０】
上記の課題を解決する本発明の一形態に係る放送受信機は、デジタル放送とアナログ放送とを同時放送する方式の信号フォーマットにより伝送される放送信号を受信するのに適した装置であり、放送信号の受信品質を検知する検知手段と、検知された受信品質が第一の条件、又は該第一の条件より良好な第二の条件を満たすかどうかを判定する条件判定手段と、少なくとも第一の条件を満たす場合に、アナログ放送の音質に関する初期的なアナログ音質特性を、デジタル放送の音質に関するデジタル音質特性と該初期的なアナログ音質特性との間の中間的な音質特性に設定変更する音質設定変更手段と、第二の条件を満たすと共にアナログ音質特性が中間的な音質特性に設定されている場合に、デジタル放送を再生し、それ以外の場合には、アナログ放送を再生する再生切替手段とを有することを特徴とする。
【００１１】
本発明に係る放送受信機によれば、アナログ放送からデジタル放送に切り替わる際の音質差が低減するため、ユーザの違和感や不快感が軽減すると共に、第一の条件を満たさない限りは初期的な音質特性でアナログ放送が再生されるため、音質特性の不整合に起因するノイズの増大が有効に避けられる。
【００１２】
本発明に係る放送受信機は、アナログ放送とデジタル放送との切り替わり時の違和感等の軽減の実効性をより一層高めるべく、デジタル放送の再生から初期的なアナログ音質特性によるアナログ放送の再生に切り替わる過程で、又は、該初期的なアナログ音質特性による該アナログ放送の再生から該デジタル放送の再生に切り替わる過程で、中間的な音質特性によるアナログ放送の再生を少なくとも一定時間維持する構成としてもよい。
【００１３】
ここで、デジタル放送又はアナログ放送に係る音質特性は、例えば、少なくとも周波数特性又はセパレーション特性を含む。
【００１４】
上記第一又は第二の条件は、例えば、放送信号に基づいて測定されるＢＥＲ（Bit Error Rate）、Ｓメータ値、ＣＮ比、ＳＮ比の少なくとも１つを用いて判断される。
【００１５】
本発明に係る放送受信機は、ＩＢＯＣ方式の信号フォーマットにより伝送される放送信号を受信するのに適した構成としてもよい。
【００１６】
本発明に係る放送受信機は、一般乗用車等の移動体に搭載された機器であってもよい。
【発明の効果】
【００１７】
本発明によれば、デジタル放送とアナログ放送との切替時におけるユーザに対する違和感等を軽減しつつもアナログ放送時の音質の劣化を避けるのに好適な放送受信機が提供される。
【図面の簡単な説明】
【００１８】
【図１】本発明の実施形態のＨＤラジオの構成を示すブロック図である。
【図２】本発明の実施形態において実行される再生信号切替処理を示すフローチャートである。
【図３】ＩＢＯＣ内の各形式の放送信号の周波数特性又はセパレーション特性を示す図である。
【図４】ＩＢＯＣ内の各形式の放送信号の周波数特性又はセパレーション特性を示す図である。
【発明を実施するための形態】
【００１９】
以下、図面を参照して、本発明の実施形態の放送受信機について説明する。本実施形態の放送受信機は、ＩＢＯＣ方式のラジオ放送の受信に適したＨＤラジオである。
【００２０】
図１は、本発明の実施形態のＨＤラジオ１００の構成を示したブロック図である。ＨＤラジオ１００は、車載型の放送受信機であり、一般乗用車等に装備される。ＨＤラジオ１００は、ＩＢＯＣ方式のラジオ放送に適合して設計され、当該方式の信号フォーマットによる放送信号を受信して処理するように構成されている。
【００２１】
ＨＤラジオ１００は、アンテナ１、チューナ２、ＩＦ（Intermediate Frequency）フィルタ５、ＩＦアンプ６、セパレータＳＥＰ、ＩＦフィルタ７、Ａ／Ｄコンバータ８、アナログ用信号処理回路９、オーディオ信号処理部１０、Ｄ／Ａコンバータ１１、パワーアンプ１２、スピーカ１３、ＰＬＬ（Phase Locked Loop）回路１４、マイクロコンピュータ１５、ＩＤＭ（IBOC Digital Module）１６、受光部１７、リモート・コントローラ（以下、「リモコン」という。）１８、表示制御回路１９、ディスプレイ２０、フラッシュメモリ２１を有している。
【００２２】
リモコン１８には、ＨＤラジオ１００を操作するための操作キーが設けられている。リモコン１８は、ユーザのキー操作に応じた制御パルスを出力する。この制御パルスは、例えばＩｒＤＡ規格に準拠した信号である。受光部１７は、受信した制御パルスをマイクロコンピュータ１５に出力する。
【００２３】
マイクロコンピュータ１５には、ＨＤラジオ１００の各種機能を実行する種々の制御プログラムが実装されている。マイクロコンピュータ１５は、ＨＤラジオ１００のハードウェア管理や、受光部１７からの制御パルスに基づく各種機能の実行等を行う。
【００２４】
ＨＤラジオ１００は、以下のようにしてラジオ放送信号を処理して再生する。すなわち、ＨＤラジオ１００は、放送電波をアンテナ１により受信してチューナ２に出力する。チューナ２は、マイクロコンピュータ１５によるＰＬＬ回路１４を介した制御により、受信電波から選局チャンネルのＲＦ（Radio Frequency）信号を抽出する。抽出されたＲＦ信号は、フィルタリング等の信号処理に適した中間周波数に周波数変換される。チューナ２は、周波数変換によって得たＩＦ信号をＩＦフィルタ５に出力する。
【００２５】
上記の選局チャネルは、リモコン１８等を用いたユーザによる選局操作に従って決定される。最後に選局されたチャネル（以下、「ラストチャネル」という。）の情報は、フラッシュメモリ２１により保持される。例えばＨＤラジオ１００の電源投入直後は、フラッシュメモリ２１が読み込まれて、ラストチャンネルが選局される。
【００２６】
チューナ２が出力したＩＦ信号は、ＩＦフィルタ５によるフィルタリング後、ＩＦアンプ６に入力する。ＩＦアンプ６は、入力したＩＦ信号を増幅してセパレータＳＥＰに出力する。ＩＦアンプ６の増幅率は、ＩＦアンプ６への入力信号の強度に関係なく、ＩＦアンプ６からの出力信号が設定された強度となるようにフィードバック制御によって調節されている。
【００２７】
セパレータＳＥＰは、入力したＩＦ信号を２つの信号成分に分離する。分離成分の一方は、アナログ搬送波をＩＦ信号に変換することで得られる信号成分であり、もう一方は、サイドバンドのサブキャリアをＩＦ信号に変換することで得られる信号成分である。以下においては、説明の便宜上、前者の信号成分を「アナログＩＦ信号」と記し、後者の信号成分を「デジタルＩＦ信号」と記す。セパレータＳＥＰは、アナログＩＦ信号をＩＦフィルタ７に出力し、デジタルＩＦ信号をＡ／Ｄコンバータ８に出力する。
【００２８】
なお、上記は、選局チャンネルがハイブリッドフォーマットのチャンネルであることを前提とした説明である。当然ながら、選局チャンネルでアナログラジオ放送（又はデジタルラジオ放送）だけが放送されている場合は、セパレータＳＥＰが分離するデジタルＩＦ信号（又はアナログＩＦ信号）に有効な信号成分が含まれていない。
【００２９】
ＩＦフィルタ７は、入力したアナログＩＦ信号にフィルタリング処理を施して不要な周波数成分を除去する。ＩＦフィルタ７は、フィルタリング後のアナログＩＦ信号をＡ／Ｄコンバータ８に出力する。
【００３０】
Ａ／Ｄコンバータ８は、Ａ／Ｄ変換処理回路をアナログＩＦ信号用とデジタルＩＦ信号用に別個独立に備えている。Ａ／Ｄコンバータ８は、入力した各ＩＦ信号を対応する処理回路によりＡ／Ｄ変換する。Ａ／Ｄ変換されたアナログＩＦ信号は、アナログ用信号処理回路９に、同じくデジタルＩＦ信号は、ＩＤＭ１６に、それぞれ出力される。
【００３１】
アナログ用信号処理回路９は、検波回路９ａ、ノイズキャンセラー９ｂ、弱電界処理回路９ｃを有している。アナログＩＦ信号は、検波回路９ａによるオーディオ信号への復調後、ノイズキャンセラー９ｂによってノイズが除去される。アナログＩＦ信号は次いで、弱電界処理回路９ｃにより、ミュート、ハイカット、セパレーション制御等の選局チャネルの受信状態に応じた処理が施される。そして、アナログオーディオ信号として、オーディオ信号処理部１０に出力される。
【００３２】
また、アナログ用信号処理回路９には、Ｓメータ９ｄが内蔵されている。Ｓメータ９ｄは、アナログオーディオ信号復調時の検波電圧の値（以下、「Ｓメータ値」という。）を所定のサンプリング周期で測定してマイクロコンピュータ１５に出力する。Ｓメータ値は、受信電波に比例した直流電圧であり、受信電波のＣＮ比と相関がある。そのため、マイクロコンピュータ１５は、Ｓメータ値を監視することにより、受信電波のＣＮ比を推定することができる。
【００３３】
ＩＤＭ１６は、ＩＢＯＣ方式のデジタルラジオ放送信号処理専用に設計されたモジュールである。ＩＤＭ１６は、Ａ／Ｄコンバータ８からのデジタルＩＦ信号を直交復調して同期再生によりガードインターバル長等にあった受信同期を確立し、ビットストリームに変換する。ここで変換されるビットストリームは、例えばＰＡＣ（Perceptual Audio Corder）形式により圧縮符号化されたビットストリームである。ＩＤＭ１６は、ＩＦ信号がデジタルラジオ放送信号を含む場合に限り、受信同期を確立することができる。ＩＤＭ１６は、例えば選局チャンネルが設定され又は変更される毎に、復調処理結果に基づいてステータス情報（例えば受信同期が確立できたか否か等の情報）を生成してマイクロコンピュータ１５に出力する。
【００３４】
ＩＤＭ１６は、更に、ビットストリームに含まれる誤り訂正符号をデコードして、ビットストリームに対する誤り訂正処理を行う。次いで、誤り訂正されたビットストリームをオーディオストリームとデータストリームに分離する。ＩＤＭ１６は、分離したオーディオストリームを各パケットのタイムスタンプに従ったタイミングでデコードしてデジタルラジオ放送のオーディオ信号（以下、「デジタルオーディオ信号」という。）を再構築し、オーディオ信号処理部１０に出力する。ＩＤＭ１６はまた、オーディオストリームに対するデコード処理と同時に、分離したデータストリームをデコードして所定の付帯データに変換してマイクロコンピュータ１５に転送する。付帯データは、ＩＤ３タグを用いて記述されたデータであり、例えば放送サービスを提供する事業者名、放送中の曲名、アーティスト名等の選局中のラジオ放送に関する情報を有する。
【００３５】
ＩＤＭ１６は、復調処理で得られる信号のＣＮ比やＳＮ比、誤り訂正処理により算出されるＢＥＲ等に基づいて受信信号の品質を測定し、測定結果に基づいてブレンド信号を生成する。生成されたブレンド信号は、オーディオ信号処理部１０に出力される。
【００３６】
オーディオ信号処理部１０は、ブレンド回路１０ａ、オーディオ処理回路１０ｂを有している。ブレンド回路１０ａは、入力したブレンド信号に基づいて、アナログ用信号処理回路９からのアナログオーディオ信号と、ＩＤＭ１６からのデジタルオーディオ信号に対するブレンド処理を行う。
【００３７】
ここで、ハイブリッドフォーマットの放送では、デジタルラジオ放送がアナログラジオ放送よりも高品質である。そのため、受信信号の品質レベルが所定レベル以上である場合、ブレンド回路１０ａは、ブレンド信号に基づいて、実質的にデジタルオーディオ信号のみが出力されるようにアナログオーディオ信号を減衰する。受信信号の品質レベルが所定レベルに満たない場合、若しくは、アナログラジオ放送のみを再生するようにユーザ設定がされている場合には、ブレンド信号に基づいて、実質的にアナログオーディオ信号のみが出力されるようにデジタルオーディオ信号を減衰する。また、受信信号の品質レベルが所定レベルを跨いで変化するときには、ブレンド回路１０ａは、ブレンド信号に基づいて、アナログオーディオ信号とデジタルオーディオ信号との遅延量、品質差等を考慮した補正を行いながら信号のミキシングを行いつつ、切替前後の音声がスムーズにつながるように、出力するオーディオ信号を切り替える。このときの切替にかかる時間は、例えば９００ｍｓ程度である。ブレンド回路１０ａが出力したオーディオ信号は、オーディオ処理回路１０ｂに入力して、オーディオ処理回路１０ｂによる所定の信号処理後、Ｄ／Ａコンバータ１１に出力される。
【００３８】
Ｄ／Ａコンバータ１１に入力したオーディオ信号は、Ｄ／Ａ変換後、パワーアンプ１２に入力する。パワーアンプ１２に入力したオーディオ信号は、ボリュームに応じた増幅率によって利得調整されて、スピーカ１３に出力される。以上の信号処理を経て、選局チャンネルのラジオ放送がスピーカ１３により再生される。
【００３９】
また、マイクロコンピュータ１５は、ＩＤＭ１６からの付随データ（ＩＤ３タグで記述されたデータ）を解釈して、その解釈結果を表示制御回路１９に出力する。表示制御回路１９は、入力した解釈結果に所定の処理を施してディスプレイ２０に出力する。これにより、付随データに対応する情報がディスプレイ２０に表示される。
【００４０】
ところで、ＩＢＯＣ方式においては、ベースバンド信号がシンボル長の長いＱＰＳＫ（Quadrature Phase Shift Keying）によって一次変調されているため、マルチパスフェージングに強く移動体での受信に適した信号伝送が実現されている。しかし、高層ビル密集地域等のマルチパスフェージングの影響が著しく強い場所では、放送電波が不安定であるため、受信電波の品質が変動して、ＨＤラジオ１００による再生がデジタルラジオ放送とアナログラジオ放送との間で切り替わる。そのため、デジタルオーディオ信号、アナログオーディオ信号の各形式の音声信号の音質差に起因した既述の問題が発生する。本実施形態のＨＤラジオ１００は、この問題を解消するため、次に説明する再生放送切替処理を実行する。
【００４１】
図２は、本実施形態で実行される再生放送切替処理のフローチャートである。この再生放送切替処理は、ＨＤラジオ１００のシステム起動と共に開始され、システム停止と共に終了する。なお、本実施形態においては、説明の便宜上、再生放送切替処理の実行開始時はアナログラジオ放送のみ受信できる状態にあることとする。以降の本明細書中の説明並びに図面において、再生放送切替処理の各ステップは、「Ｓ」と省略して記す。
【００４２】
図３（ａ）、図４（ａ）は、ＩＢＯＣ内の各形式の放送信号の周波数特性を示す。図３（ａ）、図４（ａ）の縦軸は、利得（単位：ｄＢ）を、横軸は、周波数（単位：Ｈｚ）を、それぞれ示す。ここに示される周波数特性は、送信側のソース音が全ての周波数で一定レベルの音量であるときの、受信側での周波数と音量レベルとの関係を示すものである。また、図３（ｂ）、図４（ｂ）は、ＩＢＯＣ内の各形式の放送信号のセパレーション特性を示す。図３（ｂ）、図４（ｂ）の縦軸は、分離度（単位：ｄＢ）を、横軸は、周波数（単位：Ｈｚ）を、それぞれ示す。ここに示されるセパレーション特性は、他のチャンネルから漏れる信号と自己チャンネルレベルとの比を示すものである。各図の実線は、デジタルラジオ放送の特性を、一点鎖線は、アナログＦＭラジオ放送の特性を、点線は、アナログＡＭラジオ放送の特性を、それぞれ示す。
【００４３】
図３（ａ）、（ｂ）はそれぞれ、デジタルラジオ放送とアナログラジオ放送の一般的な周波数特性、セパレーション特性を示す。図３（ａ）に示されるように、デジタルラジオ放送の周波数特性は、可聴周波数のほぼ全範囲に亘り良好である。一方、アナログＦＭラジオ放送では高周波数帯域で、アナログＡＭラジオ放送では低周波数帯域及び高周波数帯域で、それぞれ劣化が顕著である。また、図３（ｂ）に示されるように、アナログＦＭラジオ放送のセパレーション特性は、デジタルラジオ放送のセパレーション特性と比べて劣化する。各図に示されるデジタルラジオ放送とアナログラジオ放送の特性の差が再生時の音質差として現れる。なお、図３（ａ）に示されるアナログＦＭラジオ放送の周波数特性は、例えば−３ｄＢ  ａｔ  ７ＫＨｚであり、以下「Ｆ１」と記す。また、図３（ｂ）に示されるアナログＦＭラジオ放送のセパレーション特性は、例えば２０ｄＢであり、以下「Ｓｅｐ１」と記す。以降においては、説明の重複を避ける便宜上、デジタルラジオ放送とアナログＦＭラジオ放送との再生放送切替処理について説明し、デジタルラジオ放送とアナログＡＭラジオ放送との再生放送切替処理についての説明は省略する。
【００４４】
周波数特性Ｆ１とセパレーション特性Ｓｅｐ１の値は、マイクロコンピュータ１５の内部メモリ（不図示）やフラッシュメモリ２１等の記憶媒体に予め格納されている。Ｓ１の処理では、この記憶媒体にアクセスして、アナログＦＭラジオ放送の周波数特性、セパレーション特性をそれぞれＦ１、Ｓｅｐ１に設定する。
【００４５】
選局チャンネルでデジタルラジオ放送が放送されている場合は、ＩＤＭ１６による同期確立、誤り訂正処理等が行われる。Ｓ２の処理では、誤り訂正処理で算出されるＢＥＲが閾値Ｂ（単位：％）以下であるか否かを判定する。この閾値Ｂは、デジタルラジオ放送を正常にデコードするために要求されるＢＥＲが閾値Ａ（単位：％であり、例えば０．０００５％）以下である場合に、Ａ＜Ｂを満たす値として定義される。ここでは、閾値Ｂを例えば０．００５％とする。
【００４６】
ＢＥＲが閾値Ｂ以下である場合は（Ｓ２：ＹＥＳ）、受信信号の品質が比較的良好であり、少なくともアナログラジオ放送を高音質で（換言すると、デジタルラジオ放送に比較的近い音質で）再生することができる。この場合、再生放送切替処理は、Ｓ３の処理に進む。ＢＥＲが閾値Ｂを超える場合は（Ｓ２：ＮＯ）、処理がＳ１に戻る。
【００４７】
上記記憶媒体には、図４（ａ）に示されるアナログＦＭラジオ放送の周波数特性Ｆ２と、図４（ｂ）に示されるアナログＦＭラジオ放送のセパレーション特性Ｓｅｐ２の値が予め格納されている。周波数特性Ｆ２は、周波数特性Ｆ１とデジタルラジオ放送の周波数特性との間に位置する値と定義され、セパレーション特性Ｓｅｐ２は、セパレーション特性Ｓｅｐ１とデジタルラジオ放送のセパレーション特性との間に位置する値と定義される。すなわち、周波数特性Ｆ２、セパレーション特性Ｓｅｐ２はそれぞれ、周波数特性Ｆ１、セパレーション特性Ｓｅｐ１よりも、デジタルラジオ放送の周波数特性、セパレーション特性に近似した値である。例示すると、周波数特性Ｆ２は、−１ｄＢ  ａｔ  ７ＫＨｚであり、セパレーション特性Ｓｅｐ２は、３０ｄＢである。
【００４８】
Ｓ３の処理では、上記記憶媒体にアクセスして、アナログＦＭラジオ放送の周波数特性、セパレーション特性をそれぞれ、Ｆ２、Ｓｅｐ２に設定し、デジタルラジオ放送の周波数特性、セパレーション特性に近付ける。そのため、アナログＦＭラジオ放送は、デジタルラジオ放送に近い音質で再生されることとなる。
【００４９】
Ｓ４の処理では、ＢＥＲが閾値Ａ以下であるか否かを判定する。ＢＥＲが閾値Ａ以下である場合は（Ｓ４：ＹＥＳ）、処理がＳ５に進み、ＢＥＲが閾値Ａを超える場合は（Ｓ４：ＮＯ）、処理がＳ２に戻る。
【００５０】
Ｓ５の処理では、デジタルラジオ放送が正常にデコードされるため、ブレンド回路１０ａを制御して、出力オーディオ信号をアナログオーディオ信号からデジタルオーディオ信号に切り替える。デジタルラジオ放送は、図３又は図４に示される良好な特性の音質で再生される。
【００５１】
以上の説明によれば、アナログＦＭラジオ放送は、デジタルラジオ放送への切替に先立ち、周波数特性、セパレーション特性等の音質に関係する各特性の再設定により、デジタルラジオ放送に近似する音質に段階的に変えられて再生されている。そのため、アナログＦＭラジオ放送からデジタルラジオ放送に切り替わる際の音質差が低減し、ユーザの違和感や不快感が軽減する。また、アナログＦＭラジオ放送の音質変更は、閾値Ａよりも高い閾値Ｂを設定することにより、デジタルラジオ放送への切り替わり前に確実に実行される。更に、音質に関連するアナログＦＭラジオ放送の特性は、基本的には、一般的な周波数特性Ｆ１、セパレーション特性Ｓｅｐ１に設定されている。従って、アナログＦＭラジオ放送の再生時において、これらの特性の不整合に起因するノイズの増大が有効に避けられる。
【００５２】
Ｓ６の処理では、受信信号の品質劣化が検知される。Ｓ６の処理は、例えば閾値Ａを超えるＢＥＲが検知されるまで継続的に実行される。閾値Ａを超えるＢＥＲが検知された場合は、処理がＳ７に進む。
【００５３】
Ｓ７の処理では、上記記憶媒体にアクセスして、アナログＦＭラジオ放送の周波数特性、セパレーション特性をそれぞれ、Ｆ２、Ｓｅｐ２に設定する。各特性設定後、処理は、Ｓ２に戻る。その後、ＢＥＲが閾値Ａ以下になれば、デジタルラジオ放送に再度切り替えられることとなる。ＢＥＲが閾値Ｂを超えれば、アナログＦＭラジオ放送の周波数特性、セパレーション特性がＦ１、Ｓｅｐ１に設定され、アナログＦＭラジオ放送が一般的な音質で再生されることとなる。すなわち、デジタルラジオ放送からアナログＦＭラジオ放送に切り替わる場合にも、音質に関係する特性が段階的に変えられる。そのため、デジタルラジオ放送からアナログＦＭラジオ放送に切り替わる際の音質差が低減し、ユーザの違和感や不快感が軽減する。
【００５４】
以上が本発明の実施形態の説明である。本発明は、上記の構成に限定されるものではなく、本発明の技術的思想の範囲において様々な変形が可能である。例えば本発明に係る放送受信機は、XM Satellite Radio、Sirius Satellite Radio、ＤＡＢ（Digital Audio
Broadcasting）、ＤＭＢ（Digital Multimedia Broadcasting）、ＩＳＤＢ−Ｔ（Integrated Services Digital Broadcasting - Terrestrial）等の他のデジタル放送方式の受信に適した装置としてもよい。
【００５５】
図２のＳ２又はＳ４の判定処理を実行するために用いる閾値は、ＢＥＲに限定されない。ＢＥＲに代えて又は選択的に、例えばＳメータ値、ＣＮ比、ＳＮ比等を閾値として利用してもよい。例えばＢＥＲが得られない受信環境下においては、Ｓメータ値を閾値として代替的に利用する形態が考えられる。また、Ｓ２又はＳ４の判定処理では、１つの閾値に限らず、複数の閾値（例えばＢＥＲとＳメータ値）を用いてその可否を判断するようにしてもよい。
【００５６】
周波数特性とセパレーション特性を段階的に設定することによる切替時の違和感等の軽減の実効性をより一層高めるべく、各特性が設定変更された時に、受信信号の品質に拘わらずその設定による放送の再生を少なくとも一定時間維持するとよい。一例として、デジタルラジオ放送の再生時に閾値Ｂを超えるＢＥＲが検知された場合であっても、アナログＦＭラジオ放送への切替後、周波数特性Ｆ２、セパレーション特性Ｓｅｐ２の設定によるアナログＦＭラジオ放送の再生を一定時間維持するといった処理が想定される。周波数特性Ｆ１、セパレーション特性Ｓｅｐ１への設定変更は、上記一定時間経過後行われるため、音質の急変が抑制される。また、アナログＦＭラジオ放送の再生時にＢＥＲが閾値Ｂを超える値から閾値Ａ以下の値に急変した場合であっても、デジタルラジオ放送への速やかな切替を敢えて行わず、周波数特性Ｆ２、セパレーション特性Ｓｅｐ２の設定によるアナログＦＭラジオ放送の再生を一定時間維持するといった処理が想定される。デジタルラジオ放送への切替は、上記一定時間経過後行われるため、音質の急変が抑制される。
【００５７】
また、例えばアナログＦＭラジオ放送の再生時にＢＥＲが閾値Ｂを一定時間継続して超えた場合は、アナログＦＭラジオ放送の周波数特性、セパレーション特性をそれぞれ、Ｆ１、Ｓｅｐ１からＦ０、Ｓｅｐ０に設定変更する。アナログＦＭラジオ放送からデジタルラジオ放送に切り替える際には、Ｆ０、Ｓｅｐ０からＦ１、Ｓｅｐ１への設定変更を一定時間かけて行い、更に、Ｆ２、Ｓｅｐ２への設定変更後、デジタルラジオ放送への切替を行う。再生放送の切替処理がより段階的に、また、時間をかけて実行されるため、音質の急変がより一層抑制される。
【００５８】
閾値Ａ付近で再生放送が切り替わるハンチングを防止するため、図２のＳ４とＳ６の処理で用いる各閾値を異なる値に設定してもよい。具体的には、ハンチングを効果的に防止するため、Ｓ４の処理（つまり、アナログＦＭラジオ放送からデジタルラジオ放送に切り替える際）で用いる閾値をＡ１と定義し、Ｓ６の処理（つまり、デジタルラジオ放送からアナログＦＭラジオ放送に切り替える際）で用いる閾値をＡ２と定義した場合に、例えばＡ１＜Ａ２を満たすように各閾値を設定するとよい。なお、閾値Ａ１、Ａ２は、言うまでもなく、デジタルラジオ放送を正常にデコードするに足るＢＥＲに対応する値である。
【符号の説明】
【００５９】
１  アンテナ
２  チューナ
５、７  ＩＦフィルタ
６  ＩＦアンプ
８  Ａ／Ｄコンバータ
９  アナログ用信号処理回路
１０  オーディオ信号処理部
１１  Ｄ／Ａコンバータ
１２  パワーアンプ
１３  スピーカ
１４  ＰＬＬ回路
１５  マイクロコンピュータ
１６  ＩＤＭ
１７  受光部
１８  リモコン
１９  表示制御回路
２０  ディスプレイ
１００  ＨＤラジオ
ＳＥＰ  セパレータ
【図１】
2011109378.tif 000003
【図２】
2011109378.tif 000004
【図３】
2011109378.tif 000005
【図４】
2011109378.tif 000006